(57)【特許請求の範囲】
【請求項１】
螺旋状に巻回されたコイルと、前記コイルが外嵌された円柱状又は円筒状の装着部及びこの装着部の端部に設けられた基台部からなる保持台と、を具備し、前記コイルの両端部がそれぞれ前記装着部及び／又は基台部に設けられた係止部に係止されてなるヘリカルアンテナにおいて、
前記コイルの一端が内側に折り曲げられて前記装着部に設けられた切欠係止部に係止され、前記コイルの他端部が所定位置から回転せしめられた状態で前記基台部に設けられた係止凹部に係止されて、配線基板に挿入されることを特徴とするヘリカルアンテナ。
【発明の詳細な説明】
【０００１】
【発明の属する技術分野】
本発明は、所定のピッチをもって螺旋状に巻回されたコイルを備えたヘリカルアンテナに係り、特に配線基板等に取り付けるにあたっての保持態様に改良を施したものに関する。
【０００２】
【従来の技術】
従来、配線基板等へ取り付けられるヘリカルアンテナは図５及び図６に示される如くの構成となっていた。図５に示されるヘリカルアンテナ１１は、所定のピッチをもって螺旋状に成形されたコイル１２の両端部付近の巻回部の一つをそれぞれ一対の保持具１５，１５で支承保持し、コイル１２の一端部１２ａを径方向外側に引き出して取付端子として配線基板１０に半田付けして固定し、コイル１２の他端部１２ｂはフリーにされている。
【０００３】
このものでは、コイル１２用線材としては硬度の高い鉄等の形状保持性に優れた材料が使用され、アンテナ特性の調整はコイル１２のスペース巻きのピッチ等をペンチ等を使用して調節することによりなされ、コイル１２と保持具１５，１５との固定は接着剤あるいは圧着かしめ加工等により行い、また、保持具１５，１５の基板１０への取り付けは接着剤等を使用して行うようにされている。
【０００４】
一方、図６に示されるヘリカルアンテナ２１は、成形コイルを使用しないもので、円柱状装着部２３に所定のピッチをもって螺旋状に巻線を行い、巻線終了後に、前記円柱状装着部２３の両端部を基台部２４Ａ，２４Ｂの取付部２４ａに嵌め込んで固定するとともに、装着部２３に所定のピッチをもって巻回されたコイル２２を円柱状装着部２３に接着剤を用いて固定するとともに、コイル２２の一端部２２ａを径方向外側に引き出して取付端子として配線基板１０に半田付けして固定している。
【０００５】
このものでは、コイル２２用線材としては硬度の低い材料が使用され、アンテナ特性の調整はコイル２２の成形時（巻線時）にスペース巻きのピッチ等を手で調節することによりなされ、基台２４Ａ，２４Ｂの基板１０への取り付けは接着剤等を使用して行うようにされている。
【０００６】
【発明が解決しようとする課題】
しかしながら、前記した図５に示されるヘリカルアンテナ１１においては、コイル１２を保持具１５に固定保持するのに手間がかかるとともに、コイル１２のピッチ調整を行って保持具１５に保持させた後においても、コイル１２，２２が撓んだり揺れ動く等して変形してしまい、ピッチが変わり易く、アンテナ特性が不安定で信頼性の面で問題があった。
【０００７】
また、前記した図６に示されるヘリカルアンテナ２１においては、コイル２２を円柱状装着部２３に接着固定することによりアンテナ特性の変動を抑えるようにしているが、線材を円柱状装着部２３に巻きつけることにより行われるコイル２２の成形（巻線）は、ピッチ等が大きくばらつき、所望の特性を得ることが難しく、また、一旦成形されたコイル２２は円柱状装着部２３に接着固定されるので、後でアンテナ特性を調整することができない等の問題があった。
【０００８】
本発明は、上述した如くの問題を解消するためになされたもので、その目的とするところは、コイルを比較的簡単に固定保持できるとともに、ピッチ等の調整を容易に行え、かつ、所望のアンテナ特性を安定して得ることができるようにされたヘリカルアンテナを提供することを目的とする。
【０００９】
【課題を解決するための手段】
この目的を達成するために本発明は、螺旋状に巻回されたコイルと、前記コイルが外嵌された円柱状又は円筒状の装着部及びこの装着部の端部に設けられた基台部からなる保持台と、を具備し、前記コイルの両端部がそれぞれ前記装着部及び／又は基台部に設けられた係止部に係止されてなるヘリカルアンテナにおいて、前記コイルの一端が内側に折り曲げられて前記装着部に設けられた切欠係止部に係止され、前記コイルの他端部が所定位置から回転せしめられた状態で前記基台部に設けられた係止凹部に係止されて、配線基板に挿入されてなる。
【００１１】
上述の如くの構成とされた本発明に係るヘリカルアンテナにおいては、予め所定のピッチをもって螺旋状に成形されているコイルを、円柱状又は円筒状の装着部及びこの装着部の端部に設けられた基台部からなる保持台で保持固定して配線基板に取り付けるようにされる。
【００１２】
具体的には、前記コイルを前記装着部に外嵌するとともに、前記コイルの両端部をそれぞれ前記装着部及び／又は基台部に設けられた係止部に係止する。
【００１３】
このようにされることにより、コイルを保持台に手間をかけずに極めて簡単に固定保持させることができ、また、コイルの両端が係止されて固定されていることから、ピッチ調整を容易に行えるとともに、ピッチのばらつきを減少でき、さらに、ピッチ調整後にコイルが撓んだりして変形したり、不所望な挙動を起こしたりすることを防止することもできて、所望のアンテナ特性を安定して確実に得ることができ、信頼性が向上する。
【００１４】
【発明の実施の形態】
以下、本発明の実施例を図面を参照しつつ説明する。
図１は本発明に係るヘリカルアンテナの一実施例を示している。図に示されるヘリカルアンテナ１は、所定のピッチをもって螺旋状に成形された図２に詳細に示される如くのコイル２と、該コイル２が外嵌された円筒状の装着部３及びこの装着部３の両端部に固設された基台部４Ａ，４Ｂからなる保持台４と、を具備している。
【００１５】
そして、図３に示される如くに、前記コイル２の一端部２ｂが内側に折り曲げられて前記装着部３に設けられた切欠係止部５に係止され、前記コイル２の他端部２ａが、図３（Ａ），（Ｂ）において一点鎖線で示される位置から回動せしめられて、前記基台部４Ａに付設された係止片６に形成された係止凹部６ａに係止され、その後、配線基板１０に挿入されて取付端子として半田付けされるようになっている。
【００１６】
図４に示されるヘリカルアンテナ１’では、コイル２’の一端部２ｂ’が図２（Ｂ）において一点鎖線で示される如くに外側に折り曲げられて前記基台部４Ｂに付設された係止片７に形成された係止凹部７ａに係止されている。
【００１７】
このようにされることにより、コイル２，２’を保持台４に手間をかけずに極めて簡単に固定保持させることができ、また、コイル２，２’の両端が係止されて固定されていることから、ピッチ調整を容易に行えるとともに、ピッチのばらつきを減少でき、さらに、ピッチ調整後にコイル２，２’が撓んだりして変形したり、不所望な挙動を起こしたりすることを防止することもできて、所望のアンテナ特性を安定して確実に得ることができ、信頼性が向上する。
【００１８】
【発明の効果】
以上の説明から理解されるように、本発明に係るヘリカルアンテナは、コイルを保持台に手間をかけずに極めて簡単に固定保持させることができ、また、コイルの両端が係止されて固定されていることから、ピッチ調整を容易に行えるとともに、ピッチのばらつきを減少でき、さらに、ピッチ調整後にコイルが撓んだりして変形したり、不所望な挙動を起こしたりすることを防止することもできて、所望のアンテナ特性を安定して確実に得ることができ、信頼性が向上するという効果を奏する。
【図面の簡単な説明】
【図１】本発明に係るヘリカルアンテナの一実施例を示し、（Ａ）は側面図、及び（Ｂ）は断面図。
【図２】図１に示されるヘリカルアンテナのコイルを示し、（Ａ）は正面図、及び（Ｂ）は側面図。
【図３】図１に示されるヘリカルアンテナの組立工程の説明に供される図。
【図４】本発明に係るヘリカルアンテナの他の実施例を示し、（Ａ）は側面図、及び（Ｂ）は断面図。
【図５】従来のヘリカルアンテナの一例を示し、（Ａ）は側面図、及び（Ｂ）は背面図。
【図６】従来のヘリカルアンテナの他の例を示し、（Ａ）は側面図、及び（Ｂ）は背面図。
【符号の説明】
１        ヘリカルアンテナ
２        コイル
２ａ      他端部
２ｂ      一端部
３        装着部
４        保持台
４Ａ，４Ｂ      基台部
５        切欠係止部
６        係止片
６ａ      係止凹部
１０        配線基板
【図１】
0003562048.tif 000002
【図２】
0003562048.tif 000003
【図３】
0003562048.tif 000004
【図４】
0003562048.tif 000005
【図５】
0003562048.tif 000006
【図６】
0003562048.tif 000007